(57)【要約】【課題】獲物を横たえた際に獲物の暴れを可及的に防止して釣針を容易に外すことに使用可能な釣針外しマットを提供する。【解決手段】気体を収納する袋体１２と、少なくとも該袋体の上面側を覆う外装体２０とを有する釣針外しマットであって、前記袋体に気体を収納した使用状態で、前記釣針外しマットの中央部１０Ａが周辺部１０Ｂと比べて窪んでいるよう構成する。【選択図】図２
2012175913.tif 000002
【特許請求の範囲】
【請求項１】
気体を収納する袋体と、少なくとも該袋体の上面側を覆う外装体とを有する釣針外しマットであって、前記袋体に気体を収納した使用状態で、前記釣針外しマットの中央部が周辺部と比べて窪んでいることを特徴とする釣針外しマット。
【請求項２】
前記外装体の、少なくとも釣針外しマットの上面に位置する部分が前記袋体の形成材の厚さよりも大きな厚みを有する請求項１記載の釣針外しマット。
【請求項３】
前記外装体の、少なくとも釣針外しマットの上面に位置する部分が布で形成されている請求項１又は２記載の釣針外しマット。
【発明の詳細な説明】
【技術分野】
【０００１】
本発明は、釣った獲物を横たえ、その状態の獲物から釣針を外す作業を行うために使用可能な釣針外しマットに関する。
【背景技術】
【０００２】
釣りにおいて掛った獲物から釣針を外す際、獲物が大きければ暴れられて釣針を外し難い。こうした釣針外しのために、獲物掴み用の工夫物が下記特許文献１，２に開示されている。また、大物の獲物に対しては、釣り現場の地面にビニールシートを敷き、その上に獲物を横たえて釣針を外す場合がある。
【先行技術文献】
【特許文献】
【０００３】
【特許文献１】実開昭５７−４９３８３号公報
【特許文献２】実用新案登録第３０８３８７８号公報
【発明の概要】
【発明が解決しようとする課題】
【０００４】
然しながら、上記各特許文献の考案のように、獲物が小型であれば掴むことは可能であるが、大型になれば掴むことが不可能となり、釣針外しが容易ではなくなる。従って、本願は獲物を掴む方式ではなくて横たえて釣針を外す方式とする。また、単に地面にビニールシートを敷いただけでは、地面に岩の凹凸や小石の存在による凹凸がある場合は、獲物が不愉快に感じるのであろうが、暴れることが多いことに気付いた。従って、必ずしも釣針外しは容易ではない。
依って本発明は、獲物を横たえた際に獲物の暴れを可及的に防止して釣針を容易に外すことに使用可能な釣針外しマットの提供を目的とする。
【課題を解決するための手段】
【０００５】
上記課題に鑑みて本願第１の発明は、気体を収納する袋体と、少なくとも該袋体の上面側を覆う外装体とを有する釣針外しマットであって、前記袋体に気体を収納した使用状態で、前記釣針外しマットの中央部が周辺部と比べて窪んでいることを特徴とする釣針外しマットを提供する。
【０００６】
第２の発明では、第１の発明の前記外装体の、少なくとも釣針外しマットの上面に位置する部分が前記袋体の形成材の厚さよりも大きな厚みを有する。
第３の発明では、第１又は第２の発明の前記外装体の、少なくとも釣針外しマットの上面に位置する部分が布で形成されている。
【発明の効果】
【０００７】
第１の発明では、気体収納の袋体が存在するため、地面上に載置した本願マットに釣った獲物を横たえた場合に、例え地面に岩の凹凸や小石の存在による凹凸が有っても、それらの凹凸をこの袋体の気体層によって吸収でき、マット上面に載置された獲物にその影響が及ぶことを防止できるため、横たえた獲物がその凹凸を嫌がって暴れることを防止できる。従って、釣針外しが容易になる。また、小さな獲物の場合は、それを中央部に横たえることができるため、高い周辺部の存在でマット外に飛び出ることが防止できる。更に、大型獲物の場合は、獲物の中央部がマットの中央部に沈み、安定することになり、この状態では獲物が暴れ難く、釣針を外し易い。また、袋体に浮力を付与することで、地面のみならず、水面上に浮かべた状態でマットを使用することも可能となる。
【０００８】
第２の発明では、マットの上面に位置する部分が前記袋体の形成材料の厚さよりも大きな厚みを有するので、袋体に釣針が刺さることを防御し易い。
第３の発明では、マット上面は獲物を直接に載せる部位であり、ここが布であるため、予め水分を吸収させて含ませることができ、獲物を横たえた際に、獲物が安心して動きを防止し易い。また、横たえた獲物が滑り難い。
【図面の簡単な説明】
【０００９】
【図１】本発明に係る釣針外しマットの模式的使用状態を示す斜視図である。
【図２】図１の矢視線Ｂ−Ｂによる横断面図である。
【図３】図２に対応する第２実施形態例を示す横断面図である。
【図４】図３の拡大部の変形形態例である第３実施形態例を示す拡大断面図である。
【図５】図２に対応する第４実施形態例を示す横断面図である。
【図６】図５の変形形態例である第５実施形態例を示す横断面図である。
【図７】釣針外しマットの第６実施形態例を示す斜視図である。
【発明を実施するための形態】
【００１０】
以下、本発明を添付図面を用いて更に詳細に説明する。図１の本発明に係る第１実施形態例の釣針外しマット１０は、内部に空気や窒素ガス等の気体を出し入れ可能な袋体１２と、これを取り囲んでいる外装体２０とを有している。外装体２０は袋体１２の上面側を覆う上面部２０Ａと、下面側を覆う下面部２０Ｂとを有している。下面部２０Ｂは、地面の凹凸により、袋体１２が裂けることを防止する役目をするため、厚めが良く、少なくとも袋体の形成材よりも厚い。また、上面部２０Ａは、例え、獲物の魚ＳＫが暴れてもその棘等によって袋体１２を破かない保護の役目の他、魚から釣針ＨＲを外す作業中に誤ってこの上面部２０Ａにその釣針が刺さっても、袋体１２を保護できる厚さを有することが好ましい。その意味で、少なくとも袋体の形成材よりも厚い。
【００１１】
この実施形態例では、閉鎖可能な口部１２Ａから空気を入れた袋体１２は図２に図示するように偏平であり、その上面部と下面部とが平行である。一方、外装体２０の上面部２０Ａは、その周辺部が高く、その周辺部に囲まれた中央部が低く形成されている。その結果、マット１０上面の周辺部１０Ｂが高く、中央部１０Ａに向かって下りの傾斜面が形成されて中央部１０Ａが窪んでいる。中央部１０Ａに比較して高い周辺部１０Ｂは、第１実施形態例のように周囲全周に亘って設けられていてもよいが、図７に示すように一部分が欠けた形態であってもよい。なお、中央部１０Ａの窪みは中央に平面状部分が形成されているが、中心側が徐々に深くなるすり鉢状にしてもよく、その形状、大きさは釣り目的の魚種に応じて形成すればよい。
【００１２】
このような形態の釣針外しマット１０に魚ＳＫを載せると、魚の中央部が落ち込み、場合によっては頭部や尾部が周辺部１０Ｂに乗り上がる。魚ＳＫの体の側面形態は、魚の前後方向又は背と腹の方向に中央が突出する湾曲形状である。このため、マット１０上面の中央部１０Ａが窪んでいると、魚が寝かせられた場合には、この中に上記形態の魚ＳＫの体が入り込むため収まりが良くなったり、また、周囲を高い周辺部１０Ｂで囲まれるため、魚の動きが規制され、比較的落ち着く傾向があり、釣針外しに好都合である。こうした釣針外しマットの形態、大きさの１例は、平面視が概ね矩形状であって、その長辺が１ｍ前後の大きさであるが、釣り目的の魚種に応じて種々の大きさに形成することができる。
【００１３】
前記外装体２０は、その形成材の厚さ方向にクッション性を有しており、その形成材の材料としては、発泡性樹脂材、天然や人工のコルク材、ゴム材等が適するが、こうした材料を一つだけ使用して外装材２０を形成するのではなく、図３の例で説明するが、織布等、他素材を併用してもよい。また、図４の例で説明するが、合成樹脂材を特殊形態に形成してもよい。また、この例では開閉可能な口部１２Ａを設けているが、空気を入れた状態の袋体がそのままの形態で保持されるように口部１２Ａが閉じられて、開口不可能な形態としてもよい。また、福炉体は気体が密閉状態で収納されていなくてもよく、例えば、口部１２Ａ等の孔が開口していても、袋体を形成する部材の弾性によって空室Ｋが維持されて、気体が収納された状態で、袋体１２の上下壁１２Ｃ，１２Ｄ間に間隙が形成されていれば、地面の凹凸がマットの上面にまで影響することが防止され、また、マットの下方部に口部１２Ａ等の開口が無ければ、水に浮かべることも可能である。外装材２０を発泡性樹脂材で形成した場合、そこに予め水分を吸収させておくことができ、この場合、マットに魚を載置して横たえた際に魚が安心し、落ち着き易い。
【００１４】
図３は袋体１２に関しては第１実施形態例と同じであるが、外装体２０が異なる。この例での外装体２０は３層構造であり、袋体１２側の内層１８、袋体から遠い側の外層１４と、該内層と外層との間のクッション層１６の３層である。この例の内層と外層は織布や不織布、即ち布であり、クッション層１６は、前記した第１実施形態例の外装材２０の形成材として説明した各種材料の何れかで形成し、内部まで材料が詰まった球状体を多数有している。球状体は内外層間において移動可能に収納されているため、魚ＳＫを載せると球状体が動いて、外装体２０の上面が魚ＳＫに合わせて僅かに変形する。
【００１５】
一方、マット１０の周辺部１０Ｂは、袋体１２の周りに配設した３層構造の外装体２０を寄せてその根元を縫合したりして高く形成している。周辺部１０Ｂは壁状に形成されており、図２の例のように中央部に向かって徐々に深くなるのではなく、周辺部１０Ｂの中央部１０Ａ寄りの側が急に窪んでいる。この場合も中央部１０Ａは周辺部１０Ｂに比較して窪んでいる。
この例の内層１８と外層１４は布であるが、特に、マットの上面に位置する部位の外層１４が布であれば、そこに予め水分を吸収させておくことができ、魚を横たえた際に、短時間は魚が安心してその動きを防止し易い。また、魚が滑り難い。
【００１６】
図４は、図３の実施形態例のクッション層１６を形成する球状体に代わり、一般の合成樹脂材を、内部を空洞とした球殻体にしたものや、円筒体でクッション層１６を形成した実施形態例である。また、この他、おがくず状のものでクッション層を形成してもよい。
【００１７】
図５の実施形態例は、これまでの実施形態例とは異なり、袋体１２に空気を入れた状態で、その上面部と下面部とが中央部を除いて平行ではなく、上面部の周辺部１２Ｂが中央部に比べて高くなっている。この袋体１２の外側を、３層１４，１６，１８の構造の外装体２０が取り囲んでおり、袋体１２に空気を充填した通常時、外装体２０は袋体１２の外形に概ね沿っており、マットの上面は外装体２０の中央部１０Ａが僅かに窪んだ程度に張った状態に形成しており、魚を載せることで外装体２０が袋体１２の上面部に沿うように中央側が窪むが、このように形成しても、マットの中央部１０Ａが周辺部１０Ｂに比べて窪んでいるため、魚の動きが規制される。外装体２０の外層１４が水分を吸収する布であれば、魚を横たえた際に、魚が安心してその動きを防止し易いことや、誤って釣針が刺さっても、外装体２０の厚さによって袋体１２を保護できること等は他の例と同様である。
【００１８】
図６の実施形態例が図５の例と異なるのは、外装体２０が発泡材等の材料から成る１層で形成されていることである。魚を載せると発泡材の柔軟性で中央部１０Ａが窪むようになっており、発泡材故、水分を吸収でき、魚を横たえさせた際に、魚が安心してその動きを防止し易いことや、誤って釣針が刺さっても、外装体２０の厚さによって袋体１２を保護できること等は他の例と同様である。
【００１９】
図７の釣針外しマット１０では、その周辺部１０Ｂに、所々、溝Ｍ１、Ｍ２が設けられている。即ち、周辺部は完全な環状である必要はない。この例では、矩形を長辺方向と短辺方向とにおいて夫々２分する溝Ｍ１，Ｍ２が形成されている。中央部１０Ａの高さと同じ程度の高さを有する溝Ｍ２が存在すると、釣糸外しマットの中央部１０Ａに水が溜まることを防止できる。また、この例での４箇所の溝は互いに９０度間隔に離隔しているため、仕舞時に、折り畳み易くて便利である。
【産業上の利用可能性】
【００２０】
本発明は、釣った獲物を横たえ、その状態の獲物から釣針を外す作業を行うために使用可能な釣針外しマットとして利用できる。
【符号の説明】
【００２１】
１０                    釣針外しマット
１０Ａ                  中央部
１０Ｂ                  周辺部
１２                    袋体
２０                    外装体
【図１】
2012175913.tif 000003
【図２】
2012175913.tif 000004
【図３】
2012175913.tif 000005
【図４】
2012175913.tif 000006
【図５】
2012175913.tif 000007
【図６】
2012175913.tif 000008
【図７】
2012175913.tif 000009